(57)【特許請求の範囲】
【請求項１】
（a）（i）右側の要素セットのベース部から成る右側の長手方向のコラムと、（ii）左側の要素セットのベース部から成る左側の長手方向のコラムと、（iii）前記右側及び左側の要素セットの交互するタブ部から成る中間の長手方向のコラムとを規定する、一様に成形された要素のモザイク式ジッパーパターンで構成されたシートと、
（b）前記シート上の前記中間コラム内のみに被覆された機能材料の連続した長手方向の細長片であって、機能材料の層が前記右側及び左側の要素セットのタブ部上のみに提供されるように構成された細長片と、を有する商品。
【請求項２】
前記シートは、少なくともバッキング層から成り、かつ感圧接着剤の層をさらに有しており、バッキングと感圧接着剤と機能材料の連続した層を形成する請求項１に記載の商品。
【請求項３】
前記右側及び左側の要素セットは、互いに左右対称である請求項１に記載の商品。
【請求項４】
前記機能材料の細長片は、前記右側及び左側のコラムから横方向にずれており、それによって、機能材料の無いマージンがベース部に隣接する各要素のタブ部上に提供される請求項１に記載の商品。
【請求項５】
前記機能材料は、検体センサとしての使用に適している検体用消光性光ルミネセンス物質である請求項１に記載の商品。
【請求項６】
前記検体用消光性光ルミネセンス物質が白金ポルフィリンである請求項５に記載の商品。
【請求項７】
前記機能材料の層は、パターン被覆された層である請求項１に記載の商品。
【請求項８】
前記機能材料の層は、完全に被覆された層である請求項１に記載の商品。
【請求項９】
（a）機能材料の連続した長手方向の細長片をウェブ上に配置する段階と、
（b）（i）右側の要素セットのベース部から成る右側の長手方向のコラムと、（ii）左側の要素セットのベース部から成る左側の長手方向のコラムと、（iii）前記右側及び左側の要素セットの交互するタブ部から成る中間の長手方向のコラムと、を有するパターンを規定するために、前記ウェブをモザイク式ジッパーパターンの要素に切断する段階であって、前記機能材料の長手方向の細長片は、前記右側及び左側の要素セットのタブ部上にのみ存在するように、中間のコラム内のみに保持されるようになっている段階と、
を有する商品の製造方法。
【請求項１０】
前記ウェブを感圧接着剤の層で被覆する段階をさらに有し、前記機能材料の層が前記接着剤の層によって前記ウェブに付着するようになっている請求項９に記載の方法。
【請求項１１】
前記右側及び左側の要素セットは、互いに左右対称である請求項９に記載の方法。
【請求項１２】
前記機能材料の細長片は、前記右側及び左側のコラムから横方向にずれており、それによって、機能材料の無いマージンがベース部に隣接する各要素のタブ部上に提供される請求項９に記載の方法。
【請求項１３】
前記機能材料は、検体センサとしての使用に適している検体用消光性光ルミネセンス物質である請求項９に記載の方法。
【請求項１４】
前記検体用消光性光ルミネセンス物質が白金ポルフィリンである請求項１３に記載の方法。
【請求項１５】
前記機能材料の層は、パターン被覆された層である請求項９に記載の方法。
【請求項１６】
前記機能材料の層は、完全に被覆された層である請求項９に記載の方法。
【発明の詳細な説明】
【技術分野】
【０００１】
本発明は、２００９年１２月３日に出願された米国特許出願番号１２／６３０，０５８号の利益を主張している。
【背景技術】
【０００２】
背景技術
機能材料の小領域を、限定された空間（例えば、炭酸飲料のボトル、食品容器、シャーレー、密閉された搬送容器など）内の状態（例えば、温度、圧力、相対湿度、ｐH、O2やO3・ＣＯ2・ＣＯといった対象とする検体の濃度など）を検知して測定するためのセンサとして使用するために、ある表面の上に配置することがしばしば必要とされる。多くの機能材料はコストが高いため、必要な出来る限り少量の機能材料を使用することが一般的に望まれており、その結果、１００ｍｍ2より小さな領域、典型的には２５ｍｍ2より小さな領域、そしてしばしば１０ｍｍ2よりも小さな領域になる。
【０００３】
そのような小さな要素を扱うことは困難であり、特に、機能材料を汚染したり損傷を加えたりすることを防ぐために、機能材料に直接接触することを避けなければならない場合はその扱いは困難である。
【０００４】
したがって、容易に製造でき、容易に扱うことができ、かつ容易に利用できるようなコストの低い機能材料の必要性が実質的に存在する。
【発明の概要】
【０００５】
発明の概要
本願の第一の側面は商品である。この商品は、（i）右側の要素セットのベース部から成る右側の長手方向のコラムと、（ii）左側の要素セットのベース部から成る左側の長手方向のコラムと、（iii）右側及び左側の要素の交互するタブ部から成る中間の長手方向のコラムと、を規定する（A）一様に成形された要素のモザイク式ジッパーパターンを構成するシートと、（B）シート上であって中間のコラム内のみに被覆された機能材料の連続した長手方向の細長片と、によって構成されたシートであり、機能材料の層は、右側及び左側の要素のタブ部上のみに設けられる。
【０００６】
本願の第二の側面は商品を製造する方法である。この方法は、（１）機能材料の連続した長手方向の細長片をウェブ上に配置する段階と、（i）右側の要素セットのベース部から成る右側の長手方向のコラムと、（ii）左側の要素セットのベース部から成る左側の長手方向のコラムと、（iii）右側及び左側の要素の交互するタブ部から成る中間の長手方向のコラムと、を有するパターンを規定するように、ウェブを要素のモザイク式ジッパーパターンに切断する段階とを有しており、機能材料の長手方向の細長片は、右側及び左側の要素のタブ部上にのみ存在するように、中間のコラム内にのみ保持される。
【図面の簡単な説明】
【０００７】
図面の簡単な説明
【図１】機能材料を完全に被覆した本発明の一つの実施態様の平面図である。
【図２】機能材料をパターン被覆した本発明の別の実施態様の平面図である。
【図３】図１の線３−３に沿った拡大断面側面図である。
【図４Ａ−Ｃ】本発明で使用するのに適した別のモザイクパターンが描かれている。
【発明を実施するための形態】
【０００８】
定義
特許請求の範囲を含めて、本願で用いられる場合、用語「シート」は、長さ及び幅と比較して薄いもの、特に１００対１より大きい比率を備えたものを意味する。
【０００９】
特許請求の範囲を含めて、本願で用いられる場合、用語「モザイク式」は、オーバーラップもギャップも無い状態で面を埋めるようなパターン形状又は図形を意味する。
【００１０】
特許請求の範囲を含めて、本願で用いられる場合、用語「ウェブ」は、連続したシートを意味しており、連続したロール及び一連の圧延された個別シートの両方を覆っている。
【００１１】
特許請求の範囲を含めて、本願で用いられる場合、語句「ジッパーパターン」は、互いにかみ合う要素を備えた一対のコラムを意味する。
【００１２】
説明
構造
図１及び２を参照する。本発明は、シートであり、好ましくは約２〜４インチ（５．０８〜１０．１６ｃｍ）×約２〜６インチ（５．０８〜１５．２４ｃｍ）のサイズのカードであって、一様に成形された要素３０のモザイク式ジッパーパターン又はアレー２０がそのカードに形成される。このアレーは、（i）右側の要素セット３０ｒのベース部３１から成る右側の長手方向のコラム２１ｒと、（ii）左側の要素セット３０ｓのベース部３１から成る左側の長手方向のコラム２１ｓと、（iii）右側の要素３０ｒ及び左側の要素３０ｓの交互するタブ部３２から成る中間の長手方向のコラム２１ｉとを規定する。
【００１３】
要素３０は、一様に成形された要素３０のモザイク式ジッパーパターン又はアレー２０を形成することの出来るものならいかなる形状のものでもよい。図１及び２にはＴ型の要素３０が示されている。多くの他の形状が使用可能であり、図４Ａ（ティアドロップ型）、図４Ｂ（販売タグ型）、及び図４Ｃ（矢印型）にはその幾つかが示されている。
【００１４】
図３を参照する。カード１０は、感圧接着剤の層５０とともにバッキング層４０を有しており、この感圧接着剤５０は、バッキング層４０の内側の主要な面（番号付されていない）の一面に被覆されている。
【００１５】
バッキング層４０は、必要とされる構造的な一体性を与える材料であるなら、実質的にいかなる材料からでも製造可能である。特に、紙、カード用紙、ボール紙、高分子シート、メタルシートなどであるが、これらに限定はされない。より好ましいバッキング層は、価格上大変優位であるという理由から、カード用紙である。
【００１６】
接着剤５０は、要求される期間の間、対象の表面に望ましいレベルで接着することの可能な感圧接着剤であるなら、広く入手可能なものから選択することができる。要素３０の接着する対象の表面の性質及び特有の方向が一度評価されれば、当業者であれば適切な接着剤を選択することができる（例えば、少なくとも４８時間の間、垂直に配置されたペットボトルの滑らかな内面、又は、少なくとも２時間の間、水平に配置された研磨用の乾式壁サンディングパッドの粗い表面）。
【００１７】
機能材料７０の連続した長手方向の細長片は、中間コラム２１ｉの長手方向の長さに沿って被覆される。これによって、右側の要素３０ｒ及び左側の要素３０ｓの両方のタブ部３２に制限される各要素３０上に、機能材料７０の層が提供される。これによって、ユーザーは、機能材料７０に直接接触することなく、したがって機能材料７０を汚染することなく、カード１０から要素３０を取り外し、その要素３０を対象表面（図示なし）に貼り付ける目的で、各要素３０のベース部３１をつかむことが出来る。機能材料７０の細長片の右側エッジ７０ｒ及び左側エッジ７０ｓと、機能材料７０のない要素３０のベース部３１との間に、右側のマージン７１ｒと左側のマージン７１ｓとを提供するように、機能材料７０の細長片は、右側のコラム２１ｒ及び左側のコラム２１ｓから横方向にずれているのが好ましい。ずらすことによって、要素３０のベース部３１が機能材料７０で不要な被覆がされないように付加的な保護がなされる。
【００１８】
ある適応場面においては、まず、機能材料７０をサポート層６０上に被覆し、次に、そのサポート層６０を、接着剤層５０から離れて対向しているサポート層６０の露出された主要な面（番号付されていない）上にある機能材料７０の層とともに、接着剤層５０上に積層することが必要になる、又は望まれる。
【００１９】
各要素３０を対象表面に貼り付けるためにカード１０から剥がすまでは、接着剤層５０の露出面及び機能材料７０の層を、磨耗、損傷、及び汚染から保護するために、剥離ライナー８０が取り外し可能に備わっていることが好ましい。適切な剥離ライナー８０は、多くの供給源から広く入手可能である。当業者であれば、使用する接着剤５０のタイプから適切な剥離ライナー８０を選択することが可能であろう。
【００２０】
機能材料７０は、ある規定された環境の下で、検知可能で好ましくは測定可能な物理的、電気的又は化学的変化を示すような組成物又は化合物であればいかなるものでもよい（例えば、酸性の環境に曝されると色が変化する、対象の検体に曝されると電気的な信号を放出する、対象の検体に曝されると発光が消える、又は対象の検体に曝されると発生する発熱反応によって温度が上昇する、など）。本発明は、ルテニウムベースのルミネセンス・インジケータ、又は白金ポリフェリン若しくはパラジウムポリフェリンのルミネセンス・インジケータのような検体用の消光性ルミネセンス化合物を機能材料７０として使用することによって、光ルミネセンスセンサとして機能する要素３０を形成するのに特に適している。そのようなルミネセンス組成物は良く知られており、多くの商業的供給源から広く入手可能である。様々な適切な検体の消光性ルテニウムベースのルミネセンス組成物が、オキシセンス・インコーポレート社による国際特許出願公報第２００７／１２０６３７号に開示されている。また、様々な適切な検体用の消光性白金ポルフィリン及びパラジウムポルフィリンのルミネセンス組成物が、ラクセル・バイオサイエンシズ・リミテッド社による米国特許出願公報第２００６０００２８２２号に開示されている。
【００２１】
製造
カード１０は、従来のウェブライン変換プロセス及びバッキング層４０、接着剤層５０、機能材料の層７０、及び剥離ライナー８０を積層するための技術を利用することによって製造することが出来る。要素３０のモザイク式ジッパーパターンは、その変換プロセスの間のいかなる時でも、カード１０に切断することができるが、全ての層が十分に組み立てられた後であって、個々のカード１０がウェブから切断されるときと同時に実行されるのが最も適切である。
【００２２】
使用
個々の要素３０（典型的にはセンサと呼ばれる）は、要素３０の一つのコーナー（番号付されていない）を剥離ライナー８０から剥離させるために、カードを単に曲げることにより、そして、その露出されたコーナーを人差し指と親指との間でつまみ、要素３０をカード１０からはがし、その要素３０を食品の容器（図示なし）の透明又は半透明領域の内側のような対象の表面に付着させることによって使用することができる。そして、その容器（図示なし）を通して可視可能な機能材料７０の指示値を、適切な装置（図示なし）によって表示することができる。
【符号の説明】
【００２３】
用語
１０    カード
２０    要素のアレー
２１ｒ  右側のコラム
２１ｓ  左側のコラム
２１ｉ  中間コラム
３０    要素
３０ｒ  右側の要素
３０ｓ  左側の要素
３１    要素のベース部
３２    要素のタブ部
４０    バッキング層
５０    感圧接着剤
６０    サポート層
７０    機能材料の層
７０ｒ  機能材料の層の右側エッジ
７０ｓ  機能材料の層の左側エッジ
７１ｒ  機能材料の層の右側エッジと右側コラムとの間のマージン
７１ｓ  機能材料の層の左側エッジと左側コラムとの間のマージン
８０    剥離ライナー
【図１】
0005480976.tif 000002
【図２】
0005480976.tif 000003
【図３】
0005480976.tif 000004
【図４Ａ】
0005480976.tif 000005
【図４Ｂ】
0005480976.tif 000006
【図４Ｃ】
0005480976.tif 000007